(57)【要約】【課題】  ＭＡＣアドレスに左右されず、設置場所及び対向無線装置名によるネットワーク設定の配布を行うことができる無線アクセス装置を提供する。【解決手段】  無線アクセス装置（Ｎ）は、隣接する装置との間で互いに直接接続され、隣接する装置の装置名を取得する取得手段（隣接無線アクセス装置名取得部Ｎ１）と、サーバ装置に対して取得手段で取得した装置名に対応するネットワーク設定の問い合わせを行う問い合わせ手段（ネットワーク設定問い合わせ部Ｎ２）と、問い合わせ手段にて問い合わせを行うことでサーバ装置から取得したネットワーク設定を隣接する装置に通知する通知手段（ネットワーク設定通知部Ｎ３）とを有する。【選択図】      図１
2010177830.tif 000002
【特許請求の範囲】
【請求項１】
隣接する装置との間で互いに直接接続された無線アクセス装置であって、
前記隣接する装置の装置名を取得する取得手段と、
サーバ装置に対して前記取得手段で取得した前記装置名に対応するネットワーク設定の問い合わせを行う問い合わせ手段と、
前記問い合わせ手段にて前記問い合わせを行うことで前記サーバ装置から取得したネットワーク設定を前記隣接する装置に通知する通知手段と
を有することを特徴とする無線アクセス装置。
【請求項２】
前記隣接する装置から前記ネットワーク設定が通知されてきた時に当該ネットワーク設定を自装置に設定することを特徴とする請求項１記載の無線アクセス装置。
【請求項３】
前記問い合わせ手段は、前記取得手段で取得した前記装置名を基に前記サーバ装置側で設定した装置名及びネットワーク設定の一覧表に対して問い合わせを行うことを特徴とする請求項１または請求項２記載の無線アクセス装置。
【請求項４】
ネットワークアドレスが分断された場合に前記ネットワーク設定の情報の受け渡しを前記隣接する装置から受信することを特徴とする請求項１から請求項３のいずれか記載の無線アクセス装置。
【請求項５】
上記請求項１から請求項４のいずれかに記載の無線アクセス装置を含むことを特徴とする自動ネットワーク設定システム。
【請求項６】
隣接する装置との間で互いに直接接続された無線アクセス装置に用いる自動ネットワーク設定方法であって、
前記無線アクセス装置が、
前記隣接する装置の装置名を取得する取得処理と、
サーバ装置に対して前記取得処理で取得した前記装置名に対応するネットワーク設定の問い合わせを行う問い合わせ処理と、
前記問い合わせ処理にて前記問い合わせを行うことで前記サーバ装置から取得したネットワーク設定を前記隣接する装置に通知する通知処理と
を実行することを特徴とする自動ネットワーク設定方法。
【請求項７】
前記無線アクセス装置が、前記隣接する装置から前記ネットワーク設定が通知されてきた時に当該ネットワーク設定を自装置に設定することを特徴とする請求項６記載の自動ネットワーク設定方法。
【請求項８】
前記問い合わせ処理において、前記取得処理で取得した前記装置名を基に前記サーバ装置側で設定した装置名及びネットワーク設定の一覧表に対して問い合わせを行うことを特徴とする請求項６または請求項７記載の自動ネットワーク設定方法。
【請求項９】
前記無線アクセス装置が、ネットワークアドレスが分断された場合に前記ネットワーク設定の情報の受け渡しを前記隣接する装置から受信することを特徴とする請求項６から請求項８のいずれか記載の自動ネットワーク設定方法。
【請求項１０】
隣接する装置との間で互いに直接接続された無線アクセス装置内の中央処理装置に実行させるプログラムであって、
前記隣接する装置の装置名を取得する取得処理と、
サーバ装置に対して前記取得処理で取得した前記装置名に対応するネットワーク設定の問い合わせを行う問い合わせ処理と、
前記問い合わせ処理にて前記問い合わせを行うことで前記サーバ装置から取得したネットワーク設定を前記隣接する装置に通知する通知処理と
を含むことを特徴とするプログラム。
【発明の詳細な説明】
【技術分野】
【０００１】
本発明は自動ネットワーク設定システム、無線アクセス装置及びそれらに用いる自動ネットワーク設定方法並びにそのプログラムに関し、特にネットワーク設定を自動的に割り振る設定方法に関する。
【背景技術】
【０００２】
本発明に関連するＤＨＣＰ（Ｄｙｎａｍｉｃ  Ｈｏｓｔ  Ｃｏｎｆｉｇｕｒａｔｉｏｎ  Ｐｒｏｔｏｃｏｌ）方式では、ネットワーク設定を自動的に割り振る、もしくはＭＡＣ（Ｍｅｄｉａ  Ａｃｃｅｓｓ  Ｃｏｎｔｒｏｌ）アドレスによるネットワーク設定の割り振りを可能としている（例えば、特許文献１〜３参照）。
【０００３】
自動的な割り振りとした場合は、意図しない装置に対してネットワーク設定の割り振りが行われる可能性がある。また、ＭＡＣアドレスによる割り振り制限を行った場合は、ユーザが各装置のＭＡＣアドレスを意識した管理が必要となる。さらに、装置故障による装置入れ替えが発生した場合は、ＭＡＣアドレス登録の変更を管理側で行う必要が生じる。
【先行技術文献】
【特許文献】
【０００４】
【特許文献１】特開２００１−１１１７５７号公報
【特許文献２】特開２００６−２５３８４９号公報
【特許文献３】特開２００７−２３５８２６号公報
【発明の概要】
【発明が解決しようとする課題】
【０００５】
上記のようにＤＨＣＰ方式では、ユーザによる管理コストの増大が発生する問題を抱えている。また、ＤＨＣＰ方式を用いたネットワーク設定の場合は、ルータ等が間に介在し、ネットワークアドレスが異なる時に、ルータにＤＨＣＰリレー・エージェント等の設定が必要になり、ユーザがリレーを行うルータの設定を行う必要がある。
【０００６】
さらに、無線アクセス装置においては、設置場所及び対向無線装置名による名前管理が一般であり、ＭＡＣアドレスに左右されないネットワーク設定の配布を行うことができない。
【０００７】
上記の特許文献１〜３では、ＩＰ（Ｉｎｔｅｒｎｅｔ  Ｐｒｏｔｏｃｏｌ）通信を行うことができる環境下でのサーバとクライアントとの間の設定について述べており、上記の問題を解決することはできない。
【０００８】
そこで、本発明の目的は上記の問題点を解消し、ＭＡＣアドレスに左右されず、設置場所及び対向無線装置名によるネットワーク設定の配布を行うことができる自動ネットワーク設定システム、無線アクセス装置及びそれらに用いる自動ネットワーク設定方法並びにそのプログラムを提供することにある。
【課題を解決するための手段】
【０００９】
本発明による無線アクセス装置は、隣接する装置との間で互いに直接接続された無線アクセス装置であって、
前記隣接する装置の装置名を取得する取得手段と、
サーバ装置に対して前記取得手段で取得した前記装置名に対応するネットワーク設定の問い合わせを行う問い合わせ手段と、
前記問い合わせ手段にて前記問い合わせを行うことで前記サーバ装置から取得したネットワーク設定を前記隣接する装置ｎに通知する通知手段と
を備えている。
【００１０】
本発明による自動ネットワーク設定システムは、上記の無線アクセス装置を含むことを特徴とする。
【００１１】
本発明による自動ネットワーク設定方法は、隣接する装置との間で互いに直接接続された無線アクセス装置に用いる自動ネットワーク設定方法であって、
前記無線アクセス装置が、
前記隣接する装置の装置名を取得する取得処理と、
サーバ装置に対して前記取得処理で取得した前記装置名に対応するネットワーク設定の問い合わせを行う問い合わせ処理と、
前記問い合わせ処理にて前記問い合わせを行うことで前記サーバ装置から取得したネットワーク設定を前記隣接する装置ｎに通知する通知処理と
を実行している。
【００１２】
本発明によるプログラムは、隣接する装置との間で互いに直接接続された無線アクセス装置内の中央処理装置に実行させるプログラムであって、
前記隣接する装置の装置名を取得する取得処理と、
サーバ装置に対して前記取得処理で取得した前記装置名に対応するネットワーク設定の問い合わせを行う問い合わせ処理と、
前記問い合わせ処理にて前記問い合わせを行うことで前記サーバ装置から取得したネットワーク設定を前記隣接する装置ｎに通知する通知処理と
を含むことを特徴とする。
【発明の効果】
【００１３】
本発明は、上記のような構成及び動作とすることで、ＭＡＣアドレスに左右されず、設置場所及び対向無線装置名によるネットワーク設定の配布を行うことができるという効果が得られる。
【図面の簡単な説明】
【００１４】
【図１】本発明による無線アクセス装置の構成例を示すブロック図である。
【図２】本発明の第１の実施の形態による自動ネットワーク設定システムの構成例を示すブロック図である。
【図３】図１のサーバ装置の構成例を示すブロック図である。
【図４】図１の無線アクセス装置の構成例を示すブロック図である。
【図５】本発明の第１の実施の形態で用いる隣接検出用ＭＡＣフレームを示す図である。
【図６】本発明の第１の実施の形態で用いる無線アクセス装置＃ｎの保持データを示す図である。
【図７】本発明の第１の実施の形態で用いるネットワーク設定問い合わせＩＰパケットを示す図である。
【図８】本発明の第１の実施の形態で用いるサーバ保持データを示す図である。
【図９】本発明の第１の実施の形態で用いるネットワーク設定応答ＩＰパケットを示す図である。
【図１０】本発明の第１の実施の形態で用いるネットワーク設定用ＭＡＣフレームを示す図である。
【図１１】図２に示すサーバ装置の動作を示すフローチャートである。
【図１２】図４に示す無線アクセス装置の隣接検出用ＭＡＣフレーム受信時の動作を示すフローチャートである。
【図１３】図４に示す無線アクセス装置の無線アクセス装置保持データの更新時の動作を示すフローチャートである。
【図１４】図４に示す無線アクセス装置のネットワーク設定応答ＩＰパケット受信時の動作を示すフローチャートである。
【図１５】本発明の第２の実施の形態による自動ネットワーク設定システムの構成例を示すブロック図である。
【図１６】図１５に示すサーバ装置の動作を示すフローチャートである。
【発明を実施するための形態】
【００１５】
次に、本発明の実施の形態について図面を参照して説明する。まず、本発明による自動ネットワーク設定システムの概要について説明する。本発明による自動ネットワーク設定システムは、サーバ装置と、複数の無線アクセス装置とから構成されている。
【００１６】
本発明は、無線アクセス装置に用いられる監視用ネットワーク設定において、サーバ装置側で設定した無線アクセス装置名及びネットワーク設定の一覧表を用いて、無線アクセス装置名を元に無線アクセス装置に対してネットワーク設定を自動配布可能とするシステムを提供するものである。
【００１７】
図１は本発明による無線アクセス装置の構成例を示すブロック図である。図１において、無線アクセス装置Ｎ（Ｎは正の整数）の隣接無線アクセス装置名取得部Ｎ１は、隣接する無線アクセス装置Ｎ＋１（図示せず）の無線アクセス装置名を取得する。無線アクセス装置Ｎのネットワーク設定問い合わせ部Ｎ２は、サーバ装置（図示せず）に対して、取得した無線アクセス装置Ｎ＋１の無線アクセス装置名に対応するネットワーク設定の問い合わせを行う。
【００１８】
サーバ装置は、サーバ装置が持つ無線アクセス装置名とネットワーク設定との一覧表から無線アクセス装置Ｎ＋１の無線アクセス装置名に対応するネットワーク設定を探す。サーバ装置は、探し出した無線アクセス装置Ｎ＋１に対応するネットワーク設定を無線アクセス装置Ｎに返信する。
【００１９】
無線アクセス装置Ｎのネットワーク設定通知部Ｎ３は、隣接する無線アクセス装置Ｎ＋１に対して、サーバ装置から返信されてきたネットワーク設定の通知（配布）を行う。無線アクセス装置Ｎ＋１は、無線アクセス装置Ｎから通知されたネットワーク設定を基に自身のネットワーク設定を行う。無線アクセス装置Ｎ＋２でも、無線アクセス装置Ｎ＋１と同様の処理を行うことにより、以降の無線アクセス装置に関してもネットワーク設定を自動的に割り振ることが可能となる。
【００２０】
本発明では、無線アクセス装置にて、隣接する無線アクセス装置の無線アクセス装置名情報の取得、サーバ装置からの無線アクセス装置名をキーとしたネットワーク設定情報の取得、及び、隣接する無線アクセス装置へのネットワーク設定情報の転送を行うことにより、本システムを構成する。
【００２１】
また、本発明では、途中にルータ等が介在し、ネットワークアドレスが分断された場合でも、ネットワーク設定の情報の受け渡しを隣接する無線アクセス装置から受信できることにより、途中のネットワークを意識しないで設定が可能となる。
【００２２】
図２は本発明の第１の実施の形態による自動ネットワーク設定システムの構成例を示すブロック図である。図２において、本発明の第１の実施の形態による自動ネットワーク設定システムは、サーバ装置１と、複数の無線アクセス装置（＃１〜＃ｎ＋３）２−１〜２−ｎ＋３とから構成されている。
【００２３】
図３は図２のサーバ装置１の構成例を示すブロック図である。図３において、サーバ装置１は、ネッワークＩ／Ｆ（インタフェース）カード１１と、パケット受信部１２と、判定ロジック部１３と、サーバ保持データ部１４と、パケット作成部１５と、パケット送信部１６とから構成されている。
【００２４】
ネッワークＩ／Ｆカード１１は、複数の無線アクセス装置（＃１〜＃ｎ＋３）２−１〜２−ｎ＋３に接続するためのカードである。パケット受信部１２は、複数の無線アクセス装置（＃１〜＃ｎ＋３）２−１〜２−ｎ＋３からパケットを受信し、判定ロジック部１３は、サーバ保持データ部１４の情報を用いて受信したパケットの判定を行う。
【００２５】
サーバ保持データ部１４は、判定ロジック部１３で判定に用いる情報［例えば、無線アクセス装置名、ネットワーク設定情報等］を保持する。パケット作成部１５は、判定ロジック部１３の判定結果に応じてパケットの作成を行う。パケット送信部１６は、パケット作成部１５で作成したパケットを複数の無線アクセス装置（＃１〜＃ｎ＋３）２−１〜２−ｎ＋３に送信する。
【００２６】
図４は図２の無線アクセス装置の構成例を示すブロック図である。図４において、無線アクセス装置２は、ネッワークＩ／Ｆカード２１と、パケット受信部２２と、判定ロジック部２３と、無線アクセス装置保持データ部２４と、パケット作成部２５と、パケット送信部２６とから構成されている。尚、上記の無線アクセス装置（＃１〜＃ｎ＋３）２−１〜２−ｎ＋３各々は、図４に示す無線アクセス装置２と同様の構成となっている。
【００２７】
ネッワークＩ／Ｆカード２１は、隣接する無線アクセス装置やサーバ装置１に接続するためのカードである。パケット受信部２２は、隣接する無線アクセス装置やサーバ装置１からパケットを受信し、判定ロジック部２３は、無線アクセス装置保持データ部２４の情報を用いて受信したパケットの判定を行う。
【００２８】
サーバ保持データ部２４は、判定ロジック部２３で判定に用いる情報［例えば、無線アクセス装置名、ＭＡＣ（Ｍｅｄｉａ  Ａｃｃｅｓｓ  Ｃｏｎｔｒｏｌ）アドレス、ネットワーク設定情報等］を保持する。
【００２９】
パケット作成部２５は、判定ロジック部２３の判定結果に応じてパケットの作成を行う。パケット送信部２６は、パケット作成部２５で作成したパケットを隣接する無線アクセス装置やサーバ装置１に送信する。尚、図１に示す無線アクセス装置Ｎの各部（Ｎ１〜Ｎ３）の処理は、パケット受信部２２と無線アクセス装置保持データ部２４とパケット作成部２５とパケット送信部２６とを用いて判定ロジック部２３の制御にて実現される。
【００３０】
図５は本発明の第１の実施の形態で用いる隣接検出用ＭＡＣフレームを示す図である。図５において、隣接検出用ＭＡＣフレームは、送信先マルチキャストアドレス、送信元アドレス、隣接検出識別子、隣接検出用情報、送信元の無線アクセス装置名、情報の有効期間からなっている。
【００３１】
図６は本発明の第１の実施の形態で用いる無線アクセス装置＃ｎの保持データを示す図である。図６において、無線アクセス装置＃ｎの保持データは、レコードＮｏ（「１」，「２」）、ＭＡＣアドレス（「００−０１−０２−０３−０４−０７」，「００−０１−０２−０３−０４−０９」）、無線アクセス装置名（「装置＃ｎ−１」，「装置＃ｎ＋１」）、隣接検出有効期間（「２００８／１０／０１  １０：００：００」，「２００８／１０／０１  １０：０１：３０」）、ネットワーク設定情報（「１７２．１８．０．９」）、ネットワーク設定情報有効期間（「２００８／１０／０１  １０：３０：００」）からなっている。
【００３２】
図７は本発明の第１の実施の形態で用いるネットワーク設定問い合わせＩＰ（Ｉｎｔｅｒｎｅｔ  Ｐｒｏｔｏｃｏｌ）パケットを示す図である。図７において、ネットワーク設定問い合わせＩＰパケットは、送信先アドレス（サーバのアドレス）、送信元アドレス、ネットワークアドレス配付パケット識別子、ネットワーク設定問い合わせ用情報、無線アクセス装置名、ＭＡＣアドレス（無線アクセス装置名に対応するＭＡＣアドレス）からなっている。
【００３３】
図８は本発明の第１の実施の形態で用いるサーバ保持データを示す図である。図８において、サーバ保持データは、レコードＮｏ．（「１」〜「ｎ＋３」）、無線アクセス装置名（「装置＃１」〜「装置＃ｎ＋３」）、ネットワーク設定情報（「１７２．１８．０．１」〜「１７２．１８．０．１３」）、（Ｏｐｔｉｏｎ）ＭＡＣアドレス（「ａａ−ｂｂ−ｃｃ−ｄｄ−ｅｅ−ｆｆ」）からなっている。
【００３４】
図９は本発明の第１の実施の形態で用いるネットワーク設定応答ＩＰパケットを示す図である。図９において、ネットワーク設定応答ＩＰパケットは、送信先アドレス（ネットワーク設定問い合わせＩＰパケットの送信元アドレス）、送信元アドレス（サーバのＩＰアドレス）、ネットワークアドレス配付パケット識別子、ネットワークアドレス設定用情報、無線アクセス装置名、ＭＡＣアドレス（無線アクセス装置名に対応するＭＡＣアドレス）、ネットワーク設定情報（無線アクセス装置名に対応するネットワーク設定情報）、情報の有効期間からなっている。
【００３５】
図１０は本発明の第１の実施の形態で用いるネットワーク設定用ＭＡＣフレームを示す図である。図１０において、ネットワーク設定用ＭＡＣフレームは、送信先アドレス、送信元アドレス、ネットワーク情報配布用識別子、ネットワーク情報配布用情報、無線アクセス装置名、ネットワーク設定用情報、情報の有効期間、サーバのＩＰアドレスからなっている。
【００３６】
以下、図２〜図１０を参照して本発明の第１の実施の形態による自動ネットワーク設定システムの動作について説明する。
【００３７】
図２において、ネットワークには、サーバ１、無線アクセス装置（＃１）２−１、無線アクセス装置（＃２）２−２、・・・、無線アクセス装置（＃ｎ）２−ｎ、無線アクセス装置（＃ｎ＋１）２−ｎ＋１、無線アクセス装置（＃ｎ＋２）２−ｎ＋２、無線アクセス装置（＃ｎ＋３）２−ｎ＋３が存在する。
【００３８】
サーバ装置１では、無線アクセス装置（＃１〜ｎ＋３）２−１〜２−ｎ＋３用のネットワーク名、ネットワーク設定情報［ＩＰアドレス・サブネットマスク・デフォルトゲートウェイ］及び任意でＭＡＣを、図８で示すサーバ保持データに対して、ユーザが任意に入力・更新が可能である。
【００３９】
無線アクセス装置（＃１）２−１では、サーバ装置１とＩＰパケットでの通信を行うため、ネットワーク設定（ＩＰアドレス・サブネットマスク・デフォルトゲートウェイ）が正しく行われており、サーバ装置１とＩＰパケット通信が可能であるものとする。
【００４０】
また、無線アクセス装置（＃１）２−１は、サーバ装置１のＩＰアドレスが入力され、それを保持しているものとする。
【００４１】
無線アクセス装置（＃１〜＃ｎ＋３）２−１〜２−ｎ＋３は、ネットワーク上で隣接する装置とは互いに直接接続が行われており、ネットワーク設定の有無にかかわらず、隣接する無線アクセス装置とは、ＭＡＣフレームによる通信が可能である。
【００４２】
例えば、図２において、無線アクセス装置（＃１）２−１と無線アクセス装置（＃２）２−２との間、無線アクセス装置（＃２）２−２と無線アクセス装置（＃３）２−３との間、・・・、無線アクセス装置（＃ｎ＋２）２−ｎ＋２と無線アクセス装置（＃ｎ＋３）２−ｎ＋３との間は、それぞれＭＡＣフレームによる通信が可能である。
【００４３】
また、無線アクセス装置（＃２〜＃ｎ＋３）２−２〜２−ｎ＋３は、無線アクセス装置（＃１）２−１とは異なり、ネットワーク設定が行われていないものとする。
【００４４】
無線アクセス装置（＃１〜＃ｎ＋３）２−１〜２−ｎ＋３では、図５に示す隣接検出用ＭＡＣフレームを互いに送信することにより、隣接する無線アクセス装置を、図６に示す無線アクセス装置保持データとして保持することが可能である。
【００４５】
無線アクセス装置（＃１〜＃ｎ＋３）２−１〜２−ｎ＋３は、ネットワーク設定が完了し、サーバ装置１とＩＰパケットの通信が可能となった時点で、隣接した無線アクセス装置の無線アクセス装置名及び無線アクセス装置名に対応するＭＡＣアドレスを、図７に示すネットワーク設定問い合わせ用ＩＰパケットとして、サーバ装置１に送信する機能を持つ。
【００４６】
無線アクセス装置（＃１〜＃ｎ＋３）２−１〜２−ｎ＋３は、図９に示すサーバ装置１から送信されるネットワーク設定応答ＩＰパケットを受信し、図６に示す装置保持データの無線アクセス装置名に対応するネットワーク設定情報を更新する機能を持つ。
【００４７】
無線アクセス装置（＃１〜＃ｎ＋３）２−１〜２−ｎ＋３は、図６に示す無線アクセス装置保持データの情報を使用して、図１０に示すネットワーク設定ＭＡＣフレームを送信する機能を持つ。
【００４８】
無線アクセス装置（＃１〜＃ｎ＋３）２−１〜２−ｎ＋３は、図１０に示すネットワーク設定ＭＡＣフレームを受信し、受信した情報を基に、自身のネットワーク設定を行う機能を持つ。
【００４９】
次に、本実施の形態にて使用するネットワーク用データについての説明を行う。
【００５０】
隣接する無線アクセス装置間では、図５に示す隣接検出用ＭＡＣフレームを用いて通信を行う。隣接検出用ＭＡＣフレームは、送信先アドレスにマルチキャストアドレスを入力する。送信元アドレスは、隣接検出用ＭＡＣフレームを作成した無線アクセス装置のＭＡＣアドレスである。隣接検出用ＭＡＣフレームは、隣接検出用ＭＡＣフレームであることを示すための隣接検出用識別子を持つ。
【００５１】
隣接検出用情報−無線アクセス装置名には、隣接検出用ＭＡＣフレームを作成した無線アクセス装置の無線アクセス装置名である。隣接検出用情報−情報の有効期限を入力し、この情報は、図６に示す無線アクセス装置保持データ上での破棄タイミングである。
【００５２】
無線アクセス装置からサーバ装置１への通信では、図７に示すネットワーク設定問い合わせＩＰパケットを用いて通信を行う。ネットワーク設定問い合わせＩＰパケットでは、送信先にサーバ装置１のアドレスが入力される。送信元アドレスは、ネットワーク設定問い合わせＩＰパケットを作成した無線アクセス装置のＩＰアドレスである。このパケットは、ネットワーク設定問い合わせＩＰパケットを示すため、ネットワークアドレス配布パケット識別子を持つ。
【００５３】
サーバ装置１への問い合わせは、図６に示す無線アクセス装置保持データ上の無線アクセス装置名及び無線アクセス装置名に対応するＭＡＣアドレスがそれぞれ、ネットワーク設定問い合わせ用情報−装置名，ネットワーク設定問い合わせ用情報−ＭＡＣアドレスとして入力される。上記のデータを基に、サーバ装置１へのネットワーク設定問い合わせＩＰパケットが作成されて送信される。
【００５４】
サーバ装置１から無線アクセス装置への通信では、図９に示すネットワーク設定応答ＩＰパケットを用いて通信を行う。ネットワーク設定応答ＩＰパケットは、送信先に、図７に示すネットワーク設定問い合わせＩＰパケットの送信元のアドレスが入力される。送信元アドレスは、サーバ装置１のＩＰアドレスである。このパケットは、ネットワーク設定応答ＩＰパケットを示すため、ネットワークアドレス配布パケット識別子を持つ。
【００５５】
サーバ装置１への問い合わせは、図８に示すサーバ保持データ上の無線アクセス装置名及び無線アクセス装置名に対応するＭＡＣアドレス，無線アクセス装置名に対応するネットワーク設定情報がそれぞれ、ネットワークアドレス設定用情報−無線アクセス装置名，ネットワークアドレス設定用情報−ＭＡＣアドレス，ネットワークアドレス設定用情報−ネットワーク設定情報として入力される。
【００５６】
ネットワークアドレス設定用情報−情報の有効期間を入力し、この情報は、図６に示す無線アクセス装置保持データ上での破棄タイミングである。このパケットは、上記のデータを基に、無線アクセス装置へのネットワーク設定応答ＩＰパケットとして作成されて送信される。
【００５７】
図６に示す無線アクセス装置保持データでは、図５に示す隣接検出用ＭＡＣフレームの情報から、送信元ＭＡＣアドレス，隣接検出用情報−無線アクセス装置名，隣接検出用情報−情報の有効期限を使用して更新が行われる。
【００５８】
また、無線アクセス装置保持データでは、図９に示すネットワーク設定応答ＩＰパケットのネットワークアドレス設定用情報−無線アクセス装置名、ネットワークアドレス設定用情報−ネットワーク設定情報、ネットワークアドレス設定用情報−ＭＡＣアドレス、ネットワークアドレス設定用情報−情報の有効期間を使用して更新が行われる。
【００５９】
図１１は図２に示すサーバ装置１の動作を示すフローチャートであり、図１２は図４に示す無線アクセス装置２の隣接検出用ＭＡＣフレーム受信時の動作を示すフローチャートであり、図１３は図４に示す無線アクセス装置２の無線アクセス装置保持データの更新時の動作を示すフローチャートであり、図１４は図４に示す無線アクセス装置２のネットワーク設定応答ＩＰパケット受信時の動作を示すフローチャートである。
【００６０】
これら図２〜図１４を参照して本発明の第１の実施の形態による自動ネットワーク設定システムの動作について説明する。尚、図１２〜図１４に示す処理は、無線アクセス装置２内のＣＰＵ（中央処理装置）（図示せず）（図４に示す判定ロジック部２３）がプログラムを実行することで実現される。
【００６１】
無線アクセス装置（＃１）２−１は、無線アクセス装置（＃２）２−２からの図５に示す隣接検出用ＭＡＣフレームを受信することにより、図６に示す無線アクセス装置保持データの更新を行う。
【００６２】
無線アクセス装置（＃１）２−１は、無線アクセス装置保持データを周期的に検索を行い、無線アクセス装置（＃２）２−２に対応するネットワーク設定情報がないことを検出する。無線アクセス装置（＃１）２−１は、無線アクセス装置（＃２）２−２用のネットワーク設定情報を問い合わせるために、サーバ装置１に対して図７に示すネットワーク設定問い合わせＩＰパケットを送信する。
【００６３】
サーバ装置１は、図８に示すサーバ保持データから、無線アクセス装置（＃１）２−１から問い合わせのあった無線アクセス装置（＃２）２−２の情報を検索する。サーバ装置１は、図８に示すサーバ保持データの無線アクセス装置（＃２）２−２の情報を基に、図９に示すネットワーク設定応答ＩＰパケットを用いて無線アクセス装置（＃１）２−１に対して送信する。
【００６４】
無線アクセス装置（＃１）２−１では、図６に示す無線アクセス装置保持データの更新を、図９に示すネットワーク設定応答ＩＰパケットを基に行う。また、無線アクセス装置（＃１）２−１は、ネットワーク設定応答ＩＰパケット受信時に、図１０に示すネットワーク設定ＭＡＣフレームを無線アクセス装置（＃２）２−２に対して送信を行う。
【００６５】
無線アクセス装置（＃２）２−２は、ネットワーク設定ＭＡＣフレームを受信し、自身のネットワーク設定を行い、サーバ装置１の情報を保持する。これを、無線アクセス装置（＃２）２−２−無線アクセス装置（＃３）２−３との間、無線アクセス装置（＃３）２−３−無線アクセス装置（＃４）２−４との間で行うことにより、ネットワーク上で隣接することが検出された無線アクセス装置に関しては、ネットワーク設定がサーバ装置１での設定を基に行うことができる。
【００６６】
次に、サーバ装置１でのネットワーク設定問い合わせＩＰパケット受信時の動作について図１１を参照して説明する。
【００６７】
サーバ装置１は、常に、無線アクセス装置からの図７に示すネットワーク設定問い合わせＩＰパケットの受信待ちの状態である。サーバ装置１は、ネットワーク設定問い合わせＩＰパケットを受信した場合受信したネットワーク設定問い合わせＩＰパケットから無線アクセス装置名及びＭＡＣアドレスを抽出する（図１１ステップＳ２）。
【００６８】
次に、サーバ装置１は、図８に示すサーバ保持データ内から、無線アクセス装置名をキーとしてネットワーク設定情報を検索する（図１１ステップＳ３）。サーバ装置１は、サーバ保持データに、無線アクセス装置名がない場合（図１１ステップＳ４）、処理を終了し、ネットワーク設定問い合わせＩＰパケット受信待ち状態に戻る。
【００６９】
サーバ装置１は、サーバ保持データに無線アクセス装置名が存在した場合（図１１ステップＳ４）、サーバ保持データから装置名と一致するネットワーク情報を基に（図１１ステップＳ５）、図９に示すネットワーク設定応答ＩＰパケットを作成する（図１１ステップＳ６）。
【００７０】
サーバ装置１は、作成したネットワーク設定応答ＩＰパケットを送信元に送信し（図１１ステップＳ７）、処理を終了し、ネットワーク設定問い合わせＩＰパケット受信待ち状態に戻る。
【００７１】
以上の作業をサーバ装置１で行うことにより、サーバ装置１では、常にネットワーク設定問い合わせを受信し、対応するネットワーク設定応答パケットを送信することが可能になる。
【００７２】
次に、無線アクセス装置が図５に示す隣接検出用ＭＡＣフレームを受信した場合の動作について図１２を参照して説明する。
【００７３】
無線アクセス装置２は、常に、隣接する無線アクセス装置からの図５に示す隣接検出用ＭＡＣフレームの受信待ち状態である。無線アクセス装置２は、隣接検出用ＭＡＣフレームを受信した場合（図１２ステップＳ１１）、受信した隣接検出用ＭＡＣフレームから送信元ＭＡＣアドレスを抽出する（図１２ステップＳ１２）。
【００７４】
無線アクセス装置２は、抽出したＭＡＣアドレスをキーとして、図６に示す無線アクセス装置保持データ内から一致するレコードを検索する（図１２ステップＳ１３）。無線アクセス装置２は、無線アクセス装置保持データに一致するレコードが存在しない場合（図１２ステップＳ１４）、無線アクセス装置保持データに対してフレーム内の装置名及びＭＡＣアドレスのデータを追加する（図１２ステップＳ１５）。
【００７５】
無線アクセス装置２は、無線アクセス装置保持データに一致するレコードが存在した場合（図１２ステップＳ１４）、上記のステップＳ１５の処理を行わない。
【００７６】
次に、無線アクセス装置２は、無線アクセス装置保持データの対象レコードに対して、隣接検出有効期限を更新し（図１２ステップＳ１６）、処理を終了し、隣接検出用ＭＡＣフレームの受信待ち状態に戻る。
【００７７】
以上の作業を無線アクセス装置２で行うことにより、無線アクセス装置２では、常に隣接する無線アクセス装置の情報の追加を行うことが可能になる。
【００７８】
さらに、図６に示す無線アクセス装置保持データの更新方法について図１３を参照して説明する。
【００７９】
無線アクセス装置２は、一定期間毎に、無線アクセス装置２自身が持つ無線アクセス装置保持データの更新をレコード単位で行う。無線アクセス装置２は、対象のレコードの隣接検出有効期限が期限切れであるかどうかを確認する（図１３ステップＳ２１）。無線アクセス装置２は、期限切れである場合、対象のレコードの情報を全て削除し（図１３ステップＳ２２）、対象レコードの処理を終了する。
【００８０】
無線アクセス装置２は、無線アクセス装置保持データの対象のレコードが隣接検出有効期限内である場合、対象のレコードにネットワーク設定情報が存在するかどうかを確認する（図１３ステップＳ２３，Ｓ２４）。
【００８１】
無線アクセス装置２は、ネットワーク設定情報が存在しない場合、対象のレコードの無線アクセス装置名に対する図７に示すネットワーク設定問い合わせＩＰパケットを作成してサーバ装置１に対して送信し（図１３ステップＳ２５）、対象レコードの処理を終了する。
【００８２】
無線アクセス装置２は、ネットワーク設定情報が存在した場合、そのデータが有効期限内であるかどうかを確認する（図１３ステップＳ２６）。無線アクセス装置２は、有効期限内の場合、対象レコードの処理を終了する。
【００８３】
無線アクセス装置２は、有効期限切れの場合、対象のレコードの情報を図６に示す無線アクセス装置保持データから削除し（図１３ステップＳ２７）、対象のレコードの処理を終了する。
【００８４】
無線アクセス装置２では、この一連動作を常に一定間隔で行うことにより、無線アクセス装置保持データの更新処理を行う。尚、図２に示す無線アクセス装置（＃１〜＃ｎ＋３）２−１〜２−ｎ＋３では、上記の無線アクセス装置２の一連動作を行う。
【００８５】
最後に、図９に示すネットワーク設定応答ＩＰパケットの受信時の動作について図１４を参照して説明する。
【００８６】
無線アクセス装置２は、常に、サーバ装置１からの図９に示すネットワーク設定応答ＩＰパケット受信待ち状態である。無線アクセス装置２は、パケットを受信した場合（図１４ステップＳ３１）、受信したネットワーク設定応答ＩＰパケットから無線アクセス装置名を抽出する（図１４ステップＳ３２）。
【００８７】
無線アクセス装置２は、抽出し無線アクセス装置名をキーとして、図６に示す無線アクセス装置保持データ内から一致するレコードを検索する（図１４ステップＳ３３）。無線アクセス装置２は、無線アクセス装置保持データに一致するレコードが存在しない場合（図１４ステップＳ３４）、処理を終了し、ネットワーク設定応答ＩＰパケット受信待ち状態に戻る。
【００８８】
無線アクセス装置２は、無線アクセス装置保持データに一致するレコードが存在した場合（図１４ステップＳ３４）、対象レコードにネットワーク設定情報が存在するかどうかを確認する（図１４ステップＳ３５）。
【００８９】
無線アクセス装置２は、ネットワーク設定情報が存在しない場合、無線アクセス装置保持データに対して受信したパケットの情報を基にネットワーク設定情報を対象レコードに追加する（図１４ステップＳ３６）。
【００９０】
無線アクセス装置２は、ネットワーク設定情報が存在する場合、この追加処理を行わない。無線アクセス装置２は、対象のレコードのネットワーク設定情報の有効期限を受信したパケットにより更新を行う（図１４ステップＳ３７）。
【００９１】
次に、無線アクセス装置２は、対象の無線アクセス装置名に対応するデータを基に、図１０に示すネットワーク設定ＭＡＣフレームの作成を行い、対象の装置名に対してフレームの送信を行い（図１４ステップＳ３８）、処理を終了し、ネットワーク設定応答ＩＰパケット受信待ち状態に戻る。
【００９２】
以上の作業を無線アクセス装置で行うことにより、無線アクセス装置２では、常に隣接する無線アクセス装置のネットワーク設定情報の保持及び隣接する無線アクセス装置に対してネットワーク設定情報の送信が可能となる。
【００９３】
無線アクセス装置２では、図１２〜図１４に示す処理及び図１０に示すネットワーク設定ＭＡＣフレームの受信時に、受信したＭＡＣフレーム内に記載された情報を基に自身のネットワーク設定を行うことにより、隣接する無線アクセス装置の検出、無線アクセス装置保持データの更新、隣接する無線アクセス装置へのネットワーク設定情報の送信、ネットワーク設定情報による自身の設定を行うことが可能になる。
【００９４】
本実施の形態では、以上のサーバ装置１での動作及び無線アクセス装置２での動作を行うことにより、無線アクセス装置名によるネットワーク設定管理が可能となる。
【００９５】
このように、本実施の形態では、ユーザがＭＡＣアドレスを意識することなく、無線アクセス装置名のみの管理を行うことができる。本実施の形態では、故障等によりネットワーク機器の入れ替えが生じた際も、無線アクセス装置名を合わせることにより、サーバ装置１側の設定変更を必要としない。
【００９６】
図１５は本発明の第２の実施の形態による自動ネットワーク設定システムの構成例を示すブロック図である。図１５において、本発明の第２の実施の形態による自動ネットワーク設定システムは、サーバ装置１と無線アクセス装置（＃１）２−１との間にルータ３を設けた以外は、図２に示す本発明の第１の実施の形態による自動ネットワーク設定システムと同様の構成となっており、同一構成要素には同一符号を付してある。
【００９７】
本実施の形態では、サーバ装置１と無線アクセス装置（＃１）２−１との間にルータ３を挟み、ネットワーク的にサーバ装置１と無線アクセス装置（＃１）２−１とが同一ネットワークアドレス内になかったとしても、上述した本発明による自動ネットワーク設定方法を実現することが可能である。
【００９８】
サーバ装置１と無線アクセス装置（＃１）２−１との間の通信は、ＩＰパケットであるため、ネットワークアドレス割り振りさえ行われれば、問題が生じることはない。
【００９９】
図１６は図１５に示すサーバ装置１の動作を示すフローチャートである。図１６に示す動作（ステップＳ４１〜Ｓ４４，Ｓ４７〜Ｓ４９）では、図１１に示す動作（ステップＳ１〜Ｓ７）とほぼ同様の動作であるが、サーバ装置１でのＩＰアドレスの管理を無線アクセス装置名のみでなく、サーバ装置１上で保持しているＭＡＣアドレスとの同一性確認をとることにより（ステップＳ４５，Ｓ４６）、セキュリティの向上が可能となる。
【０１００】
このように、本実施の形態では、途中のネットワークに関しても、隣接する無線アクセス装置を介在させることにより、ユーザが意識することなく、ネットワーク設定の設定を行うことができる。
【産業上の利用可能性】
【０１０１】
本発明は、隣接する無線アクセス装置との直列通信が可能となる無線アクセス装置に適用することができる。
【符号の説明】
【０１０２】
１  サーバ装置
２，Ｎ  無線アクセス装置
２−１〜２−ｎ＋３  無線アクセス装置（＃１〜＃ｎ＋３）
３  ルータ
１１，２１  ネッワークＩ／Ｆカード
１２，２２  パケット受信部
１３，２３  判定ロジック部
１４  サーバ保持データ部
１５，２５  パケット作成部
１６，２６  パケット送信部
２４  無線アクセス装置保持データ部
Ｎ１  隣接無線アクセス装置名取得部
Ｎ２  ネットワーク設定問い合わせ部
Ｎ３  ネットワーク設定通知部
【図１】
2010177830.tif 000003
【図２】
2010177830.tif 000004
【図３】
2010177830.tif 000005
【図４】
2010177830.tif 000006
【図５】
2010177830.tif 000007
【図６】
2010177830.tif 000008
【図７】
2010177830.tif 000009
【図８】
2010177830.tif 000010
【図９】
2010177830.tif 000011
【図１０】
2010177830.tif 000012
【図１１】
2010177830.tif 000013
【図１２】
2010177830.tif 000014
【図１３】
2010177830.tif 000015
【図１４】
2010177830.tif 000016
【図１５】
2010177830.tif 000017
【図１６】
2010177830.tif 000018